(57)【要約】【課題】外部機器に記録されているデータのうち記録媒体に既に記録されているデータを削除する際の煩雑さを軽減し、また、記録媒体に記録されているデータのうち外部機器に既に記録されているデータを削除する際の煩雑さを軽減する。【解決手段】記録装置２００の制御部２４は、自動伝送モードがＯＮである場合に、撮像装置１００が無線伝送するデータリストを受信し、そこに含まれる各見出し情報を、記録装置２００のデータリストに含まれる見出し情報と比較し、内容が一致するか否かを判別する。記録装置２００のデータリスト中に内容の一致する見出し情報がある場合、削除要求が予め設定されているか否かを判別し、削除要求が予め設定されている場合、撮像装置１００の見出し情報に対してデータ削除フラグをセットする一方、削除要求が予め設定されていない場合、撮像装置１００の見出し情報に対して再生スキップフラグをセットする。【選択図】図１
2010172010.tif 000002
【特許請求の範囲】
【請求項１】
外部の記録装置から、前記外部の記録装置に記録されている画像データを受信する通信手段と、
前記通信手段により受信された画像データを記録媒体に記録する記録手段と、
前記記録媒体に記録されている画像データのリストを生成する生成手段と、
制御手段とを備え、
前記通信手段は、前記外部の記録装置に記録されている画像データに関するリストを前記外部の記録装置から受信し、
前記制御手段は、前記通信手段が受信したリストと前記生成手段が生成したリストとに基づいて、前記外部の記録装置に記録されている画像データのうち前記記録媒体に記録されている画像データを前記外部の記録装置から削除させるための情報を生成し、前記生成した情報を前記通信手段により前記外部の記録装置に送信させることを特徴とする通信装置。
【請求項２】
前記制御手段は、前記通信手段が受信したリストと前記生成手段が生成したリストとに基づいて、前記外部の記録装置に記録されている画像データのうち前記記録媒体に記録されている画像データを判別し、前記記録媒体に記録されている画像データのファイル名を含む情報を前記外部の記録装置に送信させることを特徴とする請求項１に記載の通信装置。
【請求項３】
前記通信手段は、前記外部の記録装置と通信可能な状態になったことに応じて前記外部の記録装置に記録されている画像データに関するリストを前記外部の記録装置から受信することを特徴とする請求項１又は２に記載の通信装置。
【請求項４】
外部の記録装置から、前記外部の記録装置に記録されている音声データを受信する通信手段と、
前記通信手段により受信された音声データを記録媒体に記録する記録手段と、
前記記録媒体に記録されている音声データのリストを生成する生成手段と、
制御手段とを備え、
前記通信手段は、前記外部の記録装置に記録されている音声データに関するリストを前記外部の記録装置から受信し、
前記制御手段は、前記通信手段が受信したリストと前記生成手段が生成したリストとに基づいて、前記外部の記録装置に記録されている音声データのうち前記記録媒体に記録されている音声データを前記外部の記録装置から削除させるための情報を生成し、前記生成した情報を前記通信手段により前記外部の記録装置に送信させることを特徴とする通信装置。
【請求項５】
前記制御手段は、前記通信手段が受信したリストと前記生成手段が生成したリストとに基づいて、前記外部の記録装置に記録されている音声データのうち前記記録媒体に記録されている音声データを判別し、前記記録媒体に記録されている音声データのファイル名を含む情報を前記外部の記録装置に送信させることを特徴とする請求項４に記載の通信装置。
【請求項６】
前記通信手段は、前記外部の記録装置と通信可能な状態になったことに応じて前記外部の記録装置に記録されている音声データに関するリストを前記外部の記録装置から受信することを特徴とする請求項４又は５に記載の通信装置。
【請求項７】
前記通信手段は、無線通信により前記外部の記録装置と通信を行うことを特徴とする請求項１乃至６のいずれか１項に記載の通信装置。
【請求項８】
外部の記録装置から、前記外部の記録装置に記録されている画像データを受信する通信手段と、
前記通信手段により受信された画像データを記録媒体に記録する記録手段とを備える通信装置の制御方法であって、
前記記録媒体に記録されている画像データのリストを生成し、
前記外部の記録装置に記録されている画像データに関するリストを前記通信手段により前記外部の記録装置から受信させ、
前記通信手段が受信したリストと前記生成したリストとに基づいて、前記外部の記録装置に記録されている画像データのうち前記記録媒体に記録されている画像データを前記外部の記録装置から削除させるための情報を生成し、前記生成した情報を前記通信手段により前記外部の記録装置に送信させることを特徴とする通信装置の制御方法。
【請求項９】
前記通信手段が受信したリストと前記生成したリストとに基づいて、前記外部の記録装置に記録されている画像データのうち前記記録媒体に記録されている画像データを判別し、前記記録媒体に記録されている画像データのファイル名を含む情報を前記外部の記録装置に送信させることを特徴とする請求項８に記載の通信装置の制御方法。
【請求項１０】
前記外部の記録装置と通信可能な状態になったことに応じて、前記外部の記録装置に記録されている画像データに関するリストを前記通信手段により前記外部の記録装置から受信させることを特徴とする請求項８又は９に記載の通信装置の制御方法。
【請求項１１】
外部の記録装置から、前記外部の記録装置に記録されている音声データを受信する通信手段と、
前記通信手段により受信された音声データを記録媒体に記録する記録手段とを備える通信装置の制御方法であって、
前記記録媒体に記録されている音声データのリストを生成し、
前記外部の記録装置に記録されている音声データに関するリストを前記通信手段により前記外部の記録装置から受信させ、
前記通信手段が受信したリストと前記生成したリストとに基づいて、前記外部の記録装置に記録されている音声データのうち前記記録媒体に記録されている音声データを前記外部の記録装置から削除させるための情報を生成し、前記生成した情報を前記通信手段により前記外部の記録装置に送信させることを特徴とする通信装置の制御方法。
【請求項１２】
前記通信手段が受信したリストと前記生成したリストとに基づいて、前記外部の記録装置に記録されている音声データのうち前記記録媒体に記録されている音声データを判別し、前記記録媒体に記録されている音声データのファイル名を含む情報を前記通信手段により前記外部の記録装置に送信させることを特徴とする請求項１１に記載の通信装置の制御方法。
【請求項１３】
前記外部の記録装置と通信可能な状態になったことに応じて前記外部の記録装置に記録されている音声データに関するリストを前記通信手段により前記外部の記録装置から受信させることを特徴とする請求項１１又は１２に記載の通信装置の制御方法。
【請求項１４】
外部の記録装置から、前記外部の記録装置に記録されている画像データを受信する通信手段と、
前記通信手段により受信された画像データを記録媒体に記録する記録手段と、
前記記録媒体に記録されている画像データのリストを生成する生成手段としてコンピュータを機能させるためのプログラムを記憶した記憶媒体であって、
前記通信手段が、前記外部の記録装置に記録されている画像データに関するリストを前記外部の記録装置から受信し、
前記通信手段が受信したリストと前記生成手段が生成したリストとに基づいて、前記外部の記録装置に記録されている画像データのうち前記記録媒体に記録されている画像データを前記外部の記録装置から削除させるための情報を生成し、前記生成した情報を前記通信手段により前記外部の記録装置に送信するように、コンピュータを機能させるためのプログラムを記憶したコンピュータ読み取り可能な記憶媒体。
【請求項１５】
前記通信手段が受信したリストと前記生成手段により生成されたリストとに基づいて、前記外部の記録装置に記録されている画像データのうち前記記録媒体に記録されている画像データを判別し、前記記録媒体に記録されている画像データのファイル名を含む情報を前記外部の記録装置に送信するように、コンピュータを機能させるためのプログラムを記憶した請求項１４に記載のコンピュータ読み取り可能な記憶媒体。
【請求項１６】
前記通信手段が、前記外部の記録装置と通信可能な状態になったことに応じて前記外部の記録装置に記録されている画像データに関するリストを前記外部の記録装置から受信するように、コンピュータを機能させるためのプログラムを記憶した請求項１４又は１５に記載のコンピュータ読み取り可能な記憶媒体。
【請求項１７】
外部の記録装置から、前記外部の記録装置に記録されている音声データを受信する通信手段と、
前記通信手段により受信された音声データを記録媒体に記録する記録手段と、
前記記録媒体に記録されている音声データのリストを生成する生成手段としてコンピュータを機能させるためのプログラムを記憶した記憶媒体であって、
前記通信手段が、前記外部の記録装置に記録されている音声データに関するリストを前記外部の記録装置から受信し、
前記通信手段が受信したリストと前記生成手段が生成したリストとに基づいて、前記外部の記録装置に記録されている音声データのうち前記記録媒体に記録されている音声データを前記外部の記録装置から削除させるための情報を生成し、前記生成した情報を前記通信手段により前記外部の記録装置に送信するように、コンピュータを機能させるためのプログラムを記憶したコンピュータ読み取り可能な記憶媒体。
【請求項１８】
前記通信手段が受信したリストと前記生成手段により生成されたリストとに基づいて、前記外部の記録装置に記録されている音声データのうち前記記録媒体に記録されている音声データを判別し、前記記録媒体に記録されている音声データのファイル名を含む情報を前記外部の記録装置に送信するように、コンピュータを機能させるためのプログラムを記憶した請求項１７に記載のコンピュータ読み取り可能な記憶媒体。
【請求項１９】
前記通信手段が、前記外部の記録装置と通信可能な状態になったことに応じて前記外部の記録装置に記録されている音声データに関するリストを前記外部の記録装置から受信するように、コンピュータを機能させるためのプログラムを記憶した請求項１７又は１８に記載のコンピュータ読み取り可能な記憶媒体。
【請求項２０】
画像データを記録媒体に記録し、前記記録媒体から画像データを再生する記録再生手段と、
前記記録媒体に記録されている画像データのリストを生成する生成手段と、
外部の記録装置と通信を行い、前記記録媒体から再生された画像データを前記外部の記録装置に送信する通信手段と、
前記生成手段により生成されたリストを前記通信手段により前記外部の記録装置に送信させる制御手段とを備え、
前記通信手段は、前記通信手段により送信されたリストに応じて前記外部の記録装置が生成した、前記記録媒体に記録されている画像データのうち前記外部の記録装置に記録されている画像データを前記記録媒体から削除させるための情報を、前記外部の記録装置から受信し、
前記制御手段は、前記通信手段が受信した前記情報に基づいて、前記記録媒体に記録された画像データのうち前記外部の記録装置に記録されている画像データを前記記録媒体から削除することを特徴とする通信装置。
【請求項２１】
音声データを記録媒体に記録し、前記記録媒体から音声データを再生する記録再生手段と、
前記記録媒体に記録されている音声データのリストを生成する生成手段と、
外部の記録装置と通信を行い、前記記録媒体から再生された音声データを前記外部の記録装置に送信する通信手段と、
前記生成手段により生成されたリストを前記通信手段により前記外部の記録装置に送信させる制御手段とを備え、
前記通信手段は、前記通信手段により送信されたリストに応じて前記外部の記録装置が生成した、前記記録媒体に記録されている音声データのうち前記外部の記録装置に記録されている音声データを前記記録媒体から削除させるための情報を、前記外部の記録装置から受信し、
前記制御手段は、前記通信手段が受信した前記情報に基づいて、前記記録媒体に記録された音声データのうち前記外部の記録装置に記録されている音声データを前記記録媒体から削除することを特徴とする通信装置。
【請求項２２】
画像データを記録媒体に記録し、前記記録媒体から画像データを再生する記録再生手段と、
外部の記録装置と通信を行い、前記記録媒体から再生された画像データを前記外部の記録装置に送信する通信手段とを備える通信装置の制御方法であって、
前記記録媒体に記録された画像データのリストを生成し、
前記生成したリストを前記通信手段により前記外部の記録装置に送信させ、
前記通信手段により送信されたリストに応じて前記外部の記録装置が生成した、前記記録媒体に記録されている画像データのうち前記外部の記録装置に記録されている画像データを前記記録媒体から削除させるための情報を、前記通信手段により前記外部の記録装置から受信させ、
前記通信手段が受信した前記情報に基づいて、前記記録媒体に記録された画像データのうち前記外部の記録装置に記録されている画像データを前記記録媒体から削除することを特徴とする通信装置の制御方法。
【請求項２３】
音声データを記録媒体に記録し、前記記録媒体から音声データを再生する記録再生手段と、
外部の記録装置と通信を行い、前記記録媒体から再生された音声データを前記外部の記録装置に送信する通信手段とを備える通信装置の制御方法であって、
前記記録媒体に記録されている音声データのリストを生成し、
前記生成したリストを前記通信手段により前記外部の記録装置に送信させ、
前記通信手段により送信されたリストに応じて前記外部の記録装置が生成した、前記記録媒体に記録されている音声データのうち前記外部の記録装置に記録されている音声データを前記記録媒体から削除させるための情報を、前記通信手段により前記外部の記録装置から受信させ、
前記通信手段が受信した前記情報に基づいて、前記記録媒体に記録された音声データのうち前記外部の記録装置に記録されている音声データを前記記録媒体から削除することを特徴とする通信装置の制御方法。
【請求項２４】
画像データを記録媒体に記録し、前記記録媒体から画像データを再生する記録再生手段と、
前記記録媒体に記録されている画像データのリストを生成する生成手段と、
外部の記録装置と通信を行い、前記記録媒体から再生された画像データを前記外部の記録装置に送信する通信手段と、
前記生成手段により生成されたリストを前記通信手段により前記外部の記録装置に送信させる制御手段としてコンピュータを機能させるためのプログラムを記憶した記憶媒体であって、
前記通信手段が、前記通信手段により送信されたリストに応じて前記外部の記録装置が生成した、前記記録媒体に記録されている画像データのうち前記外部の記録装置に記録されている画像データを前記記録媒体から削除させるための情報を、前記外部の記録装置から受信し、
前記制御手段が、前記通信手段が受信した前記情報に基づいて、前記記録媒体に記録された画像データのうち前記外部の記録装置に記録されている画像データを前記記録媒体から削除するように、コンピュータを機能させるためのプログラムを記憶したコンピュータ読み取り可能な記憶媒体。
【請求項２５】
音声データを記録媒体に記録し、前記記録媒体から音声データを再生する記録再生手段と、
前記記録媒体に記録されている音声データのリストを生成する生成手段と、
外部の記録装置と通信を行い、前記記録媒体から再生された音声データを前記外部の記録装置に送信する通信手段と、
前記生成手段により生成されたリストを前記通信手段により前記外部の記録装置に送信させる制御手段としてコンピュータを機能させるためのプログラムを記憶した記憶媒体であって、
前記通信手段が、前記通信手段により送信されたリストに応じて前記外部の記録装置が生成した、前記記録媒体に記録されている音声データのうち前記外部の記録装置に記録されている音声データを前記記録媒体から削除させるための情報を、前記外部の記録装置から受信し、
前記制御手段が、前記通信手段が受信した前記情報に基づいて、前記記録媒体に記録された音声データのうち前記外部の記録装置に記録されている音声データを前記記録媒体から削除するように、コンピュータを機能させるためのプログラムを記憶したコンピュータ読み取り可能な記憶媒体。
【発明の詳細な説明】
【技術分野】
【０００１】
本発明は、通信装置、その制御方法及びコンピュータ読み取り可能な記憶媒体に関する。
【背景技術】
【０００２】
静止画像を記録する撮像装置（例えば、電子スチルカメラ）は、通常、比較的小さな容量の記録媒体を持ち、その記録媒体に静止画像を記録するようにしている。この記録媒体には、例えば、ＳＲＡＭやフラッシュメモリなどの半導体メモリ、フロッピー（登録商標）ディスクなどの磁気記録媒体がある。
【０００３】
一方、動画像を記録する撮像装置（例えば、カメラ一体型ＶＴＲ）では、磁気テープなどの記録媒体に動画像を記録するようにしている。
【０００４】
これらの撮像装置にて撮像され、記録された画像情報は、撮像装置自体の持つ画像再生機能を利用することによって鑑賞することができる。
【０００５】
ところで、通常、画像情報を編集、加工、印刷するためには、撮像装置が記録する画像情報を、大容量の記録媒体を持つ記録装置（例えば、ストレージ装置等）に記録し、その後、パーソナルコンピュータ（以下、パソコン）などで作業する必要がある。
【先行技術文献】
【特許文献】
【０００６】
【特許文献１】特開平０９−０６５２６８号公報
【特許文献２】特開平０８−２２３３４１号公報
【特許文献３】特開平０５−３０００８３号公報
【発明の概要】
【発明が解決しようとする課題】
【０００７】
上記のように撮像装置が記録する画像情報を記録装置に記録する場合、ユーザは、撮像装置と記録装置とをケーブルで接続するか、或いはそれらを赤外線トランシーバ等を用いて接続しなければならない。
【０００８】
ところが、ケーブルを用いて接続した場合には、撮像装置と記録装置との間の距離がケーブルの長さによって左右されるといった問題がある。しかも、ケーブルが短い場合には、撮像装置と記録装置とを近づけて接続する必要があり、煩雑になってしまう。
【０００９】
一方、赤外線トランシーバ等を用いて接続した場合には、伝送路の通信状態によっては伝送エラーの発生率が高くなり、正常なデータ通信が行なえなくなるといった問題もある。
【００１０】
又、これまでは、撮像装置に記録されている画像情報を記録装置に転送する場合に、画像情報の選択からデータ転送までの全てをユーザがマニュアルで操作する必要があり煩雑であった。
【００１１】
更に、撮像装置に記録されている画像情報を記録装置に記録した後、撮像装置側の画像情報を削除する作業全てもユーザがマニュアルで操作する必要があり煩雑であった。
【００１２】
本発明はこの様な問題を解決し、外部機器に記録されているデータのうち記録媒体に既に記録されているデータを削除する際の煩雑さを軽減し、また、記録媒体に記録されているデータのうち外部機器に既に記録されているデータを削除する際の煩雑さを軽減することを目的とする。
【課題を解決するための手段】
【００１３】
本発明の通信装置は、外部の記録装置から、前記外部の記録装置に記録されている画像データを受信する通信手段と、前記通信手段により受信された画像データを記録媒体に記録する記録手段と、前記記録媒体に記録されている画像データのリストを生成する生成手段と、制御手段とを備え、前記通信手段は、前記外部の記録装置に記録されている画像データに関するリストを前記外部の記録装置から受信し、前記制御手段は、前記通信手段が受信したリストと前記生成手段が生成したリストとに基づいて、前記外部の記録装置に記録されている画像データのうち前記記録媒体に記録されている画像データを前記外部の記録装置から削除させるための情報を生成し、前記生成した情報を前記通信手段により前記外部の記録装置に送信させることを特徴とする。
【発明の効果】
【００１４】
本発明によれば、外部機器に記録されているデータのうち記録媒体に既に記録されているデータを削除する際の煩雑さを軽減することができ、また、記録媒体に記録されているデータのうち外部機器に既に記録されているデータを削除する際の煩雑さを軽減することができる。
【図面の簡単な説明】
【００１５】
【図１】画像通信システムの一例を示すブロック図である。
【図２】撮像装置１００を示すブロック図である。
【図３】記録装置２００を示すブロック図である。
【図４】撮像装置１００の処理手順を説明するフローチャートである。
【図５】記録装置２００の処理手順を説明するフローチャートである。
【図６】撮像装置５００を示すブロック図である。
【図７】撮像装置５００の処理手順を説明するフローチャートである。
【図８】データリストの一例を説明する図である。
【発明を実施するための形態】
【００１６】
以下、本発明の実施の形態を図面に基づいて説明する。
【００１７】
（第１の実施の形態）
第１の実施の形態における画像通信システムは、図１に示すように、撮像画像（静止画像、動画像の何れか１つを含む）をデジタル化して記録する２つの撮像装置（各撮像装置は、例えば、カメラ一体型デジタルビデオレコーダやデジタルカメラである）１００と、パーソナルコンピュータ（以下、パソコン）や画像編集装置等に接続可能な大容量の記録媒体を持つ記録装置（例えば、ストレージ装置、ホームサーバ装置である）２００とからなる。各撮像装置１００と記録装置２００とは、無線通信を行なうため、離れた場所に配置することが可能となっている。
【００１８】
各撮像装置１００は、自機と記録装置２００との間の距離が正常な通信を行なえる範囲内にあり、且つ伝送路の通信状態が良好な場合において、自機が過去に撮像して記録した記録データ（画像、音声を含む）を、自動的に遠隔地の記録装置２００に対して無線伝送する動作モードを有する。一方、記録装置２００は、各撮像装置１００から自動的に無線伝送される記録データ（画像、音声を含む）を記録し、保管する動作モードを有する。以下では、これらの動作モードを、単に「自動伝送モード」と呼ぶ。
【００１９】
例えば、図１において、撮像装置Ａ１００、Ｂ１００、記録装置２００の自動伝送モードが夫々ＯＮである場合について説明する。この場合、撮像装置Ａ１００と記録装置２００とは、互いに通信可能範囲内に配置されているため、伝送路の通信状態が良好であれば、無線伝送を開始する。一方、撮像装置Ｂ１００と記録装置２００とは、互いに通信可能範囲内に配置されていないため、伝送路の通信状態が良好であっても、単体で動作する。
【００２０】
以下、第１の実施の形態における画像通信システムの構成及び処理動作について、図面を用いて詳細に説明する。
【００２１】
図２は、撮像装置１００の構成を示すブロック図である。以下、各部の構成について説明する。図２において、撮像部１は、ＣＣＤ等の撮像素子を有し、被写体の光学像を撮像して所定フォーマットの画像信号を生成する。ここで、撮像部１は、静止画像だけなく動画像をも撮像して出力する。
【００２２】
デジタル画像処理部２は、上記撮像部１で生成された画像信号をデジタル化し、高能率符号化する。例えば、静止画像を撮像する場合は、その静止画像をＪＰＥＧ方式に基づいて圧縮符号化する。又、動画像を撮像する場合は、その動画像をＭＰＥＧ方式に基づいて圧縮符号化する。
【００２３】
マイクロフォン３は、外部の音声を電子化する。
【００２４】
デジタル音声処理部４は、上記マイクロフォン３で電子化された音声信号をデジタル化し、高能率符号化する。
【００２５】
見出し情報生成部５は、ユーザが撮像動作を開始する毎に、画像情報及び音声情報に対応するユニークな見出し情報（インデックスともいう）を自動的に生成する。この各見出し情報は、記録媒体１０の所定の記録エリアにデータリストとして記録される。
【００２６】
データリストの構成一例を図８に示す。図８において、８０１は各見出し情報を識別するためのインデックス番号を記録する領域、８０２は操作部１３を用いて予め入力したタイトルを記録する領域、８０３は撮像画像を作成した日時を記録する領域である。又、８０４は画像ファイルの名称を記録する領域、８０５は音声ファイルの名称を記録する領域である。これら領域８０４、８０５には、各データファイルの拡張子まで記録することにより、各データファイルのデータフォーマットやデータタイプ（動画像であるか静止画像であるか等）を認識することができる。又、８０６は後述する伝送終了フラグをセットする領域、８０７は後述する再生スキップフラグをセットする領域、８０８は後述するデータ削除フラグをセットする領域である。又、８０９は他の見出し情報のインデックス番号をセットする領域である。この領域８０９により、他の見出し情報とのリンクを認識することができる。
【００２７】
図２に戻って説明すると、記録再生部６は、各デジタル画像情報及び各デジタル音声情報を、見出し情報に関連付けて記録媒体（磁気テープ、磁気ディスク等からなる）１０に記録し、それらを記録媒体１０から再生する。デジタル画像情報とデジタル音声情報とは、１つのファイル或いは複数のファイルとして記録される。例えば、ＭＰＥＧ形式の場合、デジタル画像情報とデジタル音声情報とは同じファイルに記録される。又、ＪＰＥＧ形式の場合、画像情報と音声情報とは別々のファイルに記録される。
【００２８】
制御部７は、撮像装置１００全体の動作を制御する。特に、記録再生部６の動作を制御する手順については後述する。制御部７は、メモリ１１に予め記録されたプログラムコードを読み出して、撮像装置１００全体の動作を制御する。
【００２９】
無線通信部８は、１つの見出し情報とそれに対応するデジタル画像情報及びデジタル音声情報（以下、単に記録データという）から伝送データを生成し、その伝送データを例えばスペクトラム拡散変調した後、アンテナ９を介して遠隔地の記録装置２００に無線伝送する。又、無線通信部８は、撮像装置１００のデータリストも伝送データとして無線伝送する。ここで、無線通信部８は、符号分割多重方式を用いて伝送データをスペクトラム拡散変調する。これにより、高い伝送レートのデータ通信を実現することができる。
【００３０】
又、無線通信部８は、自機と記録装置２００との間の距離が正常な通信を行なえる範囲内にあるか否か、伝送路の通信状態は良好であるか否かを検出する検出回路１２を有する。検出回路１２の検出結果は、通信状態信号として制御部７に供給される。
【００３１】
又、無線通信部８は、外部の記録装置２００から返送された自機のデータリスト（再生スキップフラグやデータ削除フラグがセットされている）や制御信号を受信し、これらを制御部７に供給する。
【００３２】
操作部１３は、撮像要求、自動伝送モードのＯＮ／ＯＦＦ、その他の操作を制御部７等に指示する。
【００３３】
尚、第１の実施の形態での撮像装置１００は、アンテナ９を介して伝送データを無線伝送する構成について説明したが、それに限るものではない。例えば、伝送データを赤外線或いはレーザ光に変調して赤外線ＬＥＤ或いはレーザダイオードを介して伝送する構成としてもよい。
【００３４】
図３は、記録装置２００の構成を示すブロック図である。以下、各部の構成について説明する。図３において、無線通信部２１は、アンテナ２０が受信した伝送データを復調したり、撮像装置１００のデータリスト（再生スキップフラグ又はデータ削除フラグがセットされている）や制御信号を遠隔地の撮像装置１００に無線伝送したりする。
【００３５】
記録情報検出部２２は、無線通信部２１が復調した受信信号からデータリストや各記録データに対応する見出し情報を検出する。
【００３６】
記録処理部２３は、各記録データに対応する見出し情報から、その記録データのデータフォーマット及びデータタイプを認識する。ここで、記録データのデータフォーマットを所定のデータフォーマットに変換して記録するように設定されていた場合、記録処理部２３は、受信した記録データをその所定のフォーマットに変換する。例えば、所定のデータフォーマットがＭＰＥＧ形式であり、受信した記録データのデータフォーマットがＪＰＥＧ形式である場合について説明する。この場合、記録処理部２３は、ＪＰＥＧ形式の記録データをＭＰＥＧ形式に変換する。一方、受信した記録データがＭＰＥＧ形式であった場合、記録処理部２３は、データフォーマットを変換することなく、記録する。このように、静止画や動画像を同じデータフォーマットに統一して記録することにより、記録後の画像処理（編集、加工、合成等）の煩雑さを軽減することができる。尚、上述の処理は、ＭＰＥＧ形式に限らず、他のデータフォーマットであってもよい。
【００３７】
制御部２４は、メモリ２８に予め記録されたプログラムコードを読み出して、記録装置２００全体の動作を制御する。
【００３８】
記録再生部２５は、各見出し情報をデータリスト内に記録すると共に、各記録データを見出し情報に関連付けて記録媒体（磁気テープ、磁気ディスク等からなる）２７に記録し、それらを記録媒体２７から再生する。記録装置２００のデータリストは、撮像装置１００毎に構成され、記録媒体２７の所定の記録エリアに記録される。
【００３９】
見出し情報比較部２６は、撮像装置１００から送信されたデータリストと、記録媒体２７に記録されているデータリストとを比較し、内容が一致する見出し情報があるか否かを検出する。
【００４０】
操作部２９は、削除要求、自動伝送モードのＯＮ／ＯＦＦ、自動的に変換して記録しておきたいデータフォーマット（本実施の形態では、ＭＰＥＧ形式）の設定等を制御部２４に指示する。
【００４１】
尚、第１の実施の形態での記録装置２００は、アンテナ２０を介して撮像装置の記録データを受信する構成について説明したが、それに限るものではない。例えば、赤外線或いはレーザ光に変調された記録データを、赤外線ＬＥＤ或いはレーザダイオードを介して受信する構成としてもよい。
【００４２】
以上述べたようにして第１の実施の形態における撮像装置１００と記録装置２００とが構成される。
【００４３】
次に、第１の実施の形態における撮像装置１００の動作と記録装置２００の動作とについて詳細に説明する。
【００４４】
まず、撮像装置１００の動作について説明する。自動伝送モードがＯＦＦの場合、撮像装置１００は通常動作モードとして動作する。この場合、撮像装置１００は記録装置２００と無線通信を行なわず、単体で動作する。通常動作モードには、撮像モード及び再生モードがある。撮像モードの場合、ユーザからの「撮像要求」の有無に応じて静止画像や動画像を撮像し、それらを音声情報と共に、記録媒体１０に記録する。又、再生モードの場合、記録媒体１０に記録された画像及び音声を選択し、再生する。
【００４５】
次に、自動伝送モードがＯＮの場合について説明する。この場合でも、撮像装置１００は、上述の撮像モード及び再生モードを使用可能である。但し、「撮像要求」等の操作が所定時間入力されなかった場合、撮像装置１００は、以下の動作を行なう。
【００４６】
撮像装置１００の持つ無線通信部８と、記録装置２００の持つ無線通信部２１とが互いに正常な通信を行なえる範囲内にあるか否か、伝送路の通信状態は良好であるか否かを所定のタイミングで検出し、互いに通信可能か否かを判別する。
【００４７】
まず、（１）互いに通信可能であると判別した場合について説明する。この場合、撮像装置１００は、自動的に、記録データを無線伝送するように制御する。
【００４８】
このような場合、撮像装置１００の無線通信部８は、「通信可能」を示す通信状態信号を制御部７へ供給する。記録再生部６は、制御部７の制御に基づき、記録媒体１０に記録された記録データを再生する。記録再生部６から再生された記録データは、無線通信部８にて変調され（例えば、スペクトラム拡散変調され）、アンテナ９を介して記録装置２００へ無線伝送される。
【００４９】
記録装置２００の無線通信部２１も同様に、「通信可能」を示す通信状態信号を制御部２４へ供給する。制御部２４は、記録再生部２５を制御し、記録データを記録する用意を行なう。
【００５０】
次に、（２）撮像装置１００或いは記録装置２００の移動、伝送路上の障害物等により、互いに良好な無線通信が行なえないと判別した場合について説明する。この場合、撮像装置１００は、自動的に、記録データを無線伝送しないように制御する。
【００５１】
このような場合、撮像装置１００の無線通信部８は、「通信不可」を示す通信状態信号を制御部７へ供給する。記録再生部６は、制御部７の制御に基づき、記録データの再生を停止する。ここで、再生が途中で停止した記録データについては、次に通信可能となった際に、再び始めから再生される。
【００５２】
記録装置２００の無線通信部２１も同様に、「通信不可」を示す通信状態信号を制御部２４へ供給する。記録再生部２５は、制御部２４の制御に基づき、受信データの記録を停止する。ここで、制御部２４は、記録が途中で停止してしまった受信データを削除し、その受信データを再び始めから記録できるように制御する。
【００５３】
次に、（３）通信状態が不良から良好に回復し、互いに通信可能であると判別した場合について説明する。この場合、撮像装置１００は、自動的に、記録データの無線伝送を再開する。
【００５４】
このような場合、撮像装置１００の無線通信部８は、「通信回復」を示す通信状態信号を制御部７へ供給する。記録再生部６は、制御部７の制御に基づき、記録データの再生を再開する。ここで、記録再生部６は、上述の見出し情報に対応するデータ単位に再生を再開する。従って、ある見出し情報に対応するデータの再生が途中で停止した場合、そのデータは再び始めから再生される。
【００５５】
記録装置２００の無線通信部２１も同様に、「通信回復」を示す通信状態信号を制御部２４へ供給する。記録再生部２５は、制御部２４の制御に基づき、受信データの記録を再開する。ここで、記録再生部２５は、上述の見出し情報に対応するデータ単位に記録を行なう。従って、ある見出し情報に対応するデータの記録が途中で停止した場合、そのデータは再び始めから記録される。
【００５６】
上述の（１）〜（３）の処理は、記録媒体１０に記録されている全ての記録データが記録媒体２７に記録されるまで実行される。全ての記録データの伝送が終了した後、撮像装置１００はデータ終了信号を記録装置２００に無線伝送する。このデータ終了信号を受信した後、記録装置２００は記録動作を停止する。そして、ユーザが新たな撮像画像を記録した後に、再び上述の処理が自動的に開始されることになる。
【００５７】
次に、記録装置２００の動作について説明する。自動伝送モードがＯＦＦの場合、記録装置２００は通常動作モードとして動作する。この場合、記録装置２００は各撮像装置１００と無線通信を行なわず、単体で動作する。
【００５８】
一方、自動伝送モードがＯＮの場合、記録装置２００は、以下の動作を行なう。記録装置２００は、撮像装置１００のデータリストを受信し、そのデータリストを見出し情報比較部２６に供給する。見出し情報比較部２６は、撮像装置１００のデータリストと記録装置２００のデータリストとを比較し、内容の一致する見出し情報があるか否かを判別する。
【００５９】
まず、（４）ユーザが予め「削除要求」を設定していない場合について説明する。内容の一致する見出し情報がある場合、制御部２４は、撮像装置１００のデータリスト中の、その見出し情報に対応する領域８０７に再生スキップフラグをセットする。一方、内容の一致しない見出し情報については、再生スキップフラグをセットしない。
【００６０】
撮像装置１００のデータリストに含まれる全ての見出し情報に対応する処理が終了した後、見出し情報比較部２６は、撮像装置１００のデータリスト（再生スキップフラグ付き）を制御部２４、無線通信部２１を介して、撮像装置１００に返信する。
【００６１】
撮像装置１００は、このデータリストに基づき、再生スキップフラグがセットされている記録データについては再生をスキップし、それ以外の記録データについては順次無線伝送する。これにより、撮像装置１００が、記録装置２００に既に記録されている記録データを再度伝送してしまう処理を未然に防止すると共に、他の記録データを自動的に無線伝送することができる。
【００６２】
次に、（５）ユーザが予め「削除要求」を設定している場合について説明する。内容が一致する見出し情報がある場合、制御部２４は、撮像装置１００のデータリスト中の、その見出し情報に対応する領域８０８にデータ削除フラグをセットする。一方、内容の一致しない見出し情報については、データ削除フラグをセットしない。撮像装置１００のデータリストに含まれる全ての見出し情報に対応する処理が終了した後、見出し情報比較部２６は、撮像装置１００のデータリスト（データ削除フラグ付き）を制御部２４、無線通信部２１を介して、撮像装置１００に返信する。
【００６３】
撮像装置１００は、このデータリストに基づき、データ削除フラグがセットされている記録データについては削除し、それ以外の記録データについては順次無線伝送する。これにより、撮像装置１００が、記録装置２００に既に記録されている記録データを再度伝送してしまう処理を未然に防止することができると共に、他の記録データを自動的に無線伝送することができる。又、撮像装置１００側の記録データを自動的に削除することもできるため、撮像装置１００の記録媒体を別の記録媒体に取り替える煩わしさが軽減され、１つの記録媒体を効率的に使用することができる。
【００６４】
図４は、第１の実施の形態における撮像装置１００の処理手順を説明するフローチャートである。撮像装置１００の制御部７は、当該図４のフローチャートに従って撮像装置１００全体の動作を制御する。ここで、図４のフローチャートを実現するプログラムコードは、メモリ１１に格納されている。
【００６５】
ステップＳ４０１において、制御部７は、自動伝送モードがＯＮであるか否かを判別する。
【００６６】
自動伝送モードがＯＮでない場合、制御部７は、通常動作モードを実行する（ステップＳ４１９）。
【００６７】
一方、自動伝送モードがＯＮである場合、ステップＳ４０２において、制御部７は、ユーザからの撮像要求があるか否かを判別する。撮像要求がない場合、ステップＳ４０３において、制御部７は、記録再生部６が記録或いは再生状態か否かを判別する。記録或いは再生状態でない場合、ステップＳ４０４において、制御部７は、ユーザからの操作入力が所定時間ないか否かを判別する。
【００６８】
ユーザからの操作入力が所定時間なかった場合、ステップＳ４０５において、制御部７は、無線通信部８が出力する通信状態信号により、通信可能な状態にあるか否かを判別する。通信可能な状態にあると判別した場合、ステップＳ４０６において、制御部７は、記録媒体１０に記録されているデータリストを記録装置２００に無線伝送する。ここで、伝送終了フラグが既にセットされている見出し情報については伝送されない。記録装置２００は、このデータリストを自機の管理するデータリストと比較する。内容の一致する見出し情報がある場合には、その見出し情報に再生スキップフラグ或いはデータ削除フラグをセットする。データリスト内の全ての見だし情報に対する処理が終了した後、記録装置２００は、このデータリストを撮像装置１００に返信する。
【００６９】
撮像装置１００は、記録装置２００から返信されたデータリストに基づき、各見出し情報に対応する記録データを、順次無線伝送するか否か判別する。再生スキップフラグがセットされている見出し情報については、その見出し情報に対応する記録データの再生をスキップし、その見出し情報の領域８０６に伝送終了フラグをセットする（ステップＳ４０７、Ｓ４１７）。
【００７０】
一方、データ削除フラグがセットされている見出し情報については、その見出し情報に対応する記録データ及び見出し情報を削除する（ステップＳ４０８、Ｓ４１８）。
【００７１】
再生スキップフラグ、データ削除フラグの何れもセットされていない見出し情報については、その見出し情報に対応する記録データを記録装置２００に無線伝送する。記録装置２００がその記録データを正常に記録したことを確認した場合、制御部７は、見出し情報の領域８０６に伝送終了フラグをセットし（或いは、その記録データを削除し）、次の見出し情報に対して処理を行なう。又、記録装置２００がその記録データを正常に記録したことを確認できなかった場合、制御部７は、その記録データを再度無線伝送する（ステップＳ４０９）。
【００７２】
制御部７は、データリストにある全ての見出し情報の領域８０６に伝送終了フラグがセットされるまで（或いは、全ての記録データが削除されるまで）、ステップＳ４０５以下の処理を繰り返す（ステップＳ４１０）。全ての記録データの伝送が終了した後、撮像装置１００は、データ終了信号を記録装置２００に伝送し、ステップＳ４０１の制御に戻る。
【００７３】
次に、上記ステップＳ４０２において、撮像要求があると判別した場合の処理について説明する。この場合、制御部７は、ステップＳ４１１において、記録再生部６が再生動作中か否かを判別する。再生動作中であった場合、ステップＳ４１２において、記録再生部６は、再生動作を停止する。そして、ステップＳ４１３において、記録再生部６は、新しい撮像画像を見出し情報と共に、記録媒体１０の空き領域に記録する。撮像画像の記録が終了した後、制御部７はステップＳ４０２の制御に戻る。
【００７４】
次に、上記ステップＳ４０３において、記録再生部６が記録或いは再生状態であると判別した場合の処理について説明する。この場合、ステップＳ４１４において、記録再生部６は、記録或いは再生状態を継続する。記録或いは再生が終了した後、制御部７はステップＳ４０２の制御に戻る。
【００７５】
次に、上記ステップＳ４０５において、撮像装置１００と記録装置２００との間が通信可能な状態にないと判別した場合の処理について説明する。この場合、ステップＳ４１５において、制御部７は、現在無線伝送中の記録データがあるか否かを判別する。無線伝送中の記録データがない場合、制御部７はステップＳ４０５の制御に戻る。一方、無線伝送中の記録データがある場合、ステップＳ４１６において、制御部７は、その記録データの無線伝送を中止し、記録再生部６の再生ポインタをその記録データの始めの位置まで戻す。
【００７６】
図５は、第１の実施の形態における記録装置２００の処理手順を説明するフローチャートである。記録装置２００の制御部２４は、当該図５のフローチャートに従って記録装置２００全体の動作を制御する。ここで、図５のフローチャートを実現するプログラムコードは、メモリ２８に格納されている。
【００７７】
ステップＳ５０１において、制御部２４は、自動伝送モードがＯＮであるか否かを判別する。
【００７８】
自動伝送モードがＯＮでない場合、制御部２４は、通常動作モードを実行する（ステップＳ４１９）。この場合、記録装置２００は、外部機器（パソコンや編集装置など）からの制御を受け付け、記録済の画像情報を編集、加工する。
【００７９】
一方、自動伝送モードがＯＮである場合、ステップＳ５０２において、制御部２４は、記録媒体２７からデータリストを読み出し、そのデータリストを見出し情報比較部２６に供給する。
【００８０】
次に、ステップＳ５０３において、制御部２４は、無線通信部２１が出力する通信状態信号により、通信可能な状態にあるか否かを判別する。通信可能な状態にあると判別した場合、ステップＳ５０４において、制御部２４は、撮像装置１００が無線伝送するデータリストを受信し、そのデータリストを見出し情報比較部２６に供給する。そして、見出し情報比較部２６は、ステップＳ５０５において、撮像装置１００のデータリストに含まれる各見出し情報を、記録装置２００のデータリストに含まれる見出し情報と比較し、内容が一致するか否かを判別する。
【００８１】
記録装置２００のデータリスト中に内容の一致する見出し情報がある場合、ステップＳ５０６において、制御部２４は、削除要求が予め設定されているか否かを判別する。削除要求が予め設定されている場合、制御部２４は、撮像装置１００の見出し情報に対してデータ削除フラグをセットする（ステップＳ５０７）。一方、削除要求が予め設定されていない場合、制御部２４は、撮像装置１００の見出し情報に対して再生スキップフラグをセットする（ステップＳ５０８）。
【００８２】
撮像装置１００のデータリストに含まれる全ての見出し情報に対する処理が終了した後、記録装置２００は、ステップＳ５１０において、撮像装置１００のデータリストに返信する。その後、記録装置２００は、ステップＳ５１１において、撮像装置１００から順次無線伝送される記録データ及び見出し情報を受信し、それらを記録媒体２７に記録する。この結果、記録装置２００のデータリストは更新される。記録装置２００は、各記録データの記録が正常に終了する毎に、記録が正常に終了したことを示す記録確認信号を撮像装置１００に伝送する。
【００８３】
最終的に、撮像装置１００からデータ終了信号を受信するまで、記録装置２００は、ステップＳ５０３以下の処理を実行する（ステップＳ５１２）。撮像装置１００からデータ終了信号を受信した場合、ステップＳ５１３において、制御部２４は、記録再生部２５の記録動作を停止させ、ステップＳ５０１の制御に戻る。
【００８４】
次に、上記ステップＳ５０３において、撮像装置１００と記録装置２００との間が通信可能な状態にないと判別した場合の処理について説明する。この場合、ステップＳ５１４において、制御部２４は、現在受信中の記録データがあるか否かを判別する。受信中の記録データがない場合、制御部２４はステップＳ５０２の制御に戻る。一方、受信中の記録データがある場合、ステップＳ５１５において、制御部２４は、その記録データの記録を中止し、記録再生部２５の記録ポインタをその記録データの始めの位置まで戻す。
【００８５】
以上のようにした第１の実施の形態では、各撮像装置１００と記録装置２００とに対して自動伝送モードを設けることにより、これら撮像装置１００と記録装置２００との間の距離が正常な通信を行なえる範囲内にあり、且つ伝送路の通信状態が良好な場合において、撮像装置１００が過去に撮像して記録したデジタル画像及び音声を、遠隔地の記録装置２００に対して自動的に無線伝送するシステムを適用することができる。
【００８６】
更にこのシステムは、各装置が正常な通信を行なえる範囲内にない場合、或いは伝送路の通信状態が良好でない場合には、データ伝送を自動的に停止し、それらが回復した後、データ伝送を自動的に再開することができる。
【００８７】
このような構成により、ユーザに特に意識させることなく、また煩雑な作業を必要とすることなく、撮像装置１００のデジタル画像及び音声とを、遠隔地の記録装置２００に自動的に保管することができる。又、通信状態が良好でない場合には、データ伝送を自動的に停止するため、伝送エラーや欠落を最小限に押さえることができ、遠隔地の記録装置２００に確実に記録、保管することができる。
【００８８】
又、第１の実施の形態では、記録装置２００に既に記録されているデジタル画像及び音声の再生を自動的にスキップすることもできる。このような構成により、同じデータを二重に再生、伝送する処理を防止することができ、データ伝送を効率的に行なうことができる。
【００８９】
又、第１の実施の形態では、記録装置２００に既に記録されているデジタル画像及び音声を自動的に削除することもできる。このような構成により、同じデータを二重に再生、伝送する処理を防止することができ、データ伝送を効率的に行なうことができる。又、撮像装置１００の記録媒体を効率的に使用することもできる。
【００９０】
更に、第１の実施の形態では、撮像装置１００からデータ伝送されたデジタル画像を予め設定された所定のデータフォーマットに変換して記録することもできる。このような構成により、デジタル画像情報の保管や管理に伴う作業の負荷を軽減できると共に、記録後に行なう編集作業の負荷を軽減することもできる。
【００９１】
（第２の実施の形態）
上述の第１の実施の形態では、撮像装置１００が撮像状態でも記録状態でもない場合に、撮像装置１００自体が過去に撮像し、記録したデジタル情報（画像、音声を含む）を、伝送路の通信状態に応じて自動的に遠隔地の記録装置２００に無線伝送する構成について説明した。
【００９２】
この第２の実施の形態では、第１の実施の形態の構成に加えて、更に、撮像装置１００が撮像状態である場合でも、現在撮像中のデジタル情報（画像、音声を含む）を、伝送路の通信状態に応じて自動的に遠隔地の記録装置２００に無線伝送する構成について説明する。
【００９３】
以下、第２の実施の形態における画像通信システムの構成及び処理動作について、図面を用いて詳細に説明する。
【００９４】
図６は、撮像装置５００の構成を示すブロック図である。以下、各部の構成について説明する。尚、撮像装置５００は、第１の実施の形態の撮像装置１００と同様に、カメラ一体型デジタルビデオレコーダであっても、デジタルカメラであってもよい。
【００９５】
図６において、撮像部５１、デジタル画像処理部５２、マイクロフォン５３、デジタル音声処理部５４の夫々は、図２で説明した撮像部１、デジタル画像処理部２、マイクロフォン３、デジタル音声処理部４の夫々と同様の機能を有する。
【００９６】
又、見出し情報生成部５５、記録再生部５６、無線通信部５８（検出回路６３を含む）、記録媒体６０、操作部６４の夫々も、図２で説明した見出し情報生成部５、記録再生部６、無線通信部８（検出回路１２を含む）、記録媒体１０、操作部１３の夫々と同様の機能を有する。
【００９７】
制御部５７は、撮像装置５００全体の動作を制御する。特に、記録再生部５６の動作を制御する手順については図７を用いて後述する。制御部５７は、メモリ６１に予め記録されたプログラムコードを読み出し、撮像装置５００全体の動作を制御する。
【００９８】
選択器６２は、撮像部５１の出力する撮像データ（撮像中のデジタル画像情報、デジタル音声情報を含む）及びそれに対応する見出し情報、記録媒体６０の出力する記録データ（デジタル画像情報、デジタル音声情報を含む）及びそれに対応する見出し情報の何れか一方を、制御部５７から供給された「撮影アクティブ信号」に基づいて選択する。
【００９９】
無線通信部５８は、選択器６２の出力する撮像データ及びそれに対応する見出し情報（或いは、選択器６２の出力する記録データ及びそれに対応する見出し情報）から伝送データを生成し、その伝送データを例えばスペクトラム拡散変調した後、アンテナ５９を介して遠隔地の記録装置２００に無線伝送する。又、無線通信部５８は、撮像装置５００のデータリストも伝送データとして無線伝送する。
【０１００】
尚、第２の実施の形態の撮像装置５００は、アンテナ５９を介して伝送データを無線伝送したが、それに限るものではない。例えば、伝送データを、赤外線或いはレーザ光に変調して赤外線ＬＥＤ或いはレーザダイオードを介して伝送してもよい。
【０１０１】
以上述べたようにして第２の実施の形態における撮像装置５００が構成される。尚、第２の実施の形態の撮像装置５００に対応する記録装置については、図２に示した記録装置２００を用いて説明する。
【０１０２】
次に、第２の実施の形態における撮像装置５００の動作について詳細に説明する。
【０１０３】
まず、撮像装置５００の動作について説明する。自動伝送モードがＯＦＦの場合、撮像装置５００は、第１の実施の形態と同様に、通常動作モードとして動作する。
【０１０４】
次に、自動伝送モードがＯＮの場合について説明する。この場合でも、撮像装置５００は、第１の実施の形態と同様に、撮像モード及び再生モードの使用が可能である。但し、「撮像要求」があった場合、「撮像要求」等の操作が所定時間入力されなかった場合、撮像装置５００は、以下の動作を行なう。
【０１０５】
撮像装置５００の持つ無線通信部５８と、記録装置２００の持つ無線通信部２１とが互いにの正常な通信を行なえる範囲内にあるか否か、伝送路の通信状態は良好であるか否かを所定のタイミングで検出し、互いに通信可能か否かを判別する。
【０１０６】
まず、（６）互いに通信可能であると判別した場合について説明する。この場合、撮像装置５００は、自動的に、撮像データ又は記録データを選択的に無線伝送するように制御する。
【０１０７】
このような場合、撮像装置５００の無線通信部５８は、「通信可能」を示す通信状態信号を制御部５７へ供給する。ここで、撮像装置５００が撮像状態である場合、制御部５７は、「撮像データ」を示す撮影アクティブ信号を選択器６２に供給する。選択器６２は、撮像部５１の出力する撮像データを選択し、見出し情報と共に出力する。
【０１０８】
一方、撮像装置５００が撮像状態でない場合、制御部５７は、「記録データ」を示す撮影アクティブ信号を選択器６２に供給する。選択器６２は、記録媒体６０の出力する記録データを選択し、見出し情報と共に出力する。
【０１０９】
選択器６２から供給された撮像データ（又は記録データ）は、無線通信部５８にて変調され（例えば、スペクトラム拡散変調され）、アンテナ５９を介して記録装置２００へ無線伝送される。
【０１１０】
次に、（７）撮像装置５００或いは記録装置２００の移動、伝送路上の障害物等により、互いに良好な無線通信が行なえないと判別した場合について説明する。この場合、撮像装置５００は、自動的に、記録データを無線伝送しないように制御する。
【０１１１】
このような場合、撮像装置５００の無線通信部５８は、「通信不可」を示す通信状態信号を制御部５７へ供給する。ここで、撮像装置５００が撮像状態である場合、無線通信部５８は撮影データの無線伝送を中断し、続きの撮像データを記録媒体６０に記録する。ここで、記録媒体６０に記録される撮像データは、無線伝送が中断する直前の撮像データに関連するものである。従って、記録媒体６０に記録される撮像データに対応する見出し情報の領域８０９に、中断する直前の撮像データに対応する見出し情報のインデックス番号をセットする。つまり、無線伝送が中断する前後の撮像データ間に、リンクを設定することができる。これにより、撮像中に受信状態が変化して、連続する撮像データが撮像装置５００と記録装置２００の別々に記録された場合でも、記録装置２００は上述の見出し情報を用いて複数の撮像データを時間的な関連性を持たせて記録、管理することができる。
【０１１２】
一方、撮像装置５００が撮像状態でない場合、記録再生部５６は、制御部５７の制御に基づき、記録データの再生を停止する。ここで、再生が途中で停止した記録データについては、次に通信可能となった際に、再び始めから再生される。
【０１１３】
記録装置２００の無線通信部２１も同様に、「通信不可」を示す通信状態信号を制御部２４へ送信する。撮像装置５００の撮像データを記録していた場合、制御部２４は、記録再生部２５の記録動作を停止させ、その撮像データをそのまま記録するように記録再生部２５を制御する。一方、撮像装置５００の記録データを記録していた場合、制御部２４は、記録再生部２５の記録動作を停止させ、その記録データについては削除し、再び始めから記録できるように記録再生部２５を制御する。
【０１１４】
次に、（８）通信状態が不良から良好に回復し、互いに通信可能であると判別した場合について説明する。この場合、撮像装置５００は、自動的に、撮像データ又は記録データの何れかの無線伝送を選択的に再開する。
【０１１５】
このような場合、撮像装置２００の無線通信部５８は、「通信回復」を示す通信状態信号を制御部５７へ供給する。ここで、撮像装置５００が撮像状態である場合、制御部５７は、「撮像データ」を示す撮影アクティブ信号を選択器６２に供給する。選択器６２は、撮像部５１の出力する撮像データを選択し、見出し情報と共に出力する。この見出し情報の領域８０９には、再開する直前の撮像データに対応する見出し情報のインデックス番号をセットする。
【０１１６】
一方、撮像装置５００が撮像状態でない場合、制御部５７は、「記録データ」を示す撮影アクティブ信号を選択器６２に供給する。選択器６２は、記録媒体６０の出力する記録データを選択し、見出し情報と共に出力する。ここで、記録再生部５６は、上述の見出し情報に対応するデータ単位に再生を再開する。従って、ある見出し情報に対応するデータの再生が途中で停止した場合、そのデータは再び始めから再生される。
【０１１７】
記録装置２００の無線通信部２１も同様に、「通信回復」を示す通信状態信号を制御部２４へ供給する。記録再生部２５は、制御部２４の制御に基づき、撮像データ或いは記録データの記録を再開する。
【０１１８】
上述の（６）〜（８）の処理は、撮像状態が終了し、記録媒体１０に記録されている全ての記録データが記録媒体２７に記録されるまで実行される。全ての記録データの伝送が終了した後、撮像装置１００はデータ終了信号を記録装置２００に無線伝送する。このデータ終了信号を受信した後、記録装置２００は記録動作を停止する。そして、ユーザが新たな撮像を開始した後に、再び上述の処理が自動的に開始されることになる。
【０１１９】
図７は、第２の実施の形態における撮像装置５００の処理手順を説明するフローチャートである。撮像装置５００の制御部５７は、当該図７のフローチャートに従って撮像装置５００全体の動作を制御する。ここで、図７のフローチャートを実現するプログラムコードは、メモリ６１に格納されている。
【０１２０】
ステップＳ７０１において、制御部５７は、自動伝送モードであるか否かを判別する。
【０１２１】
自動伝送モードがＯＮでない場合、制御部５７は、通常動作モードを実行する（ステップＳ７０２）。
【０１２２】
一方、自動伝送モードがＯＮである場合、ステップＳ７０３において、制御部５７は、ユーザからの撮像要求があるか否かを判別する。撮像要求がある場合、ステップＳ７０４において、制御部５７は、無線通信部５８から出力された通信状態信号により、良好な通信状態にあるか否かを判別する。
【０１２３】
良好な通信状態にあると判別した場合、ステップＳ７０５において、制御部５７は、記録再生部５６が記録状態か否かを判別する。記録状態である場合、制御部５７は、記録再生制御信号を出力し、記録再生部５６の記録動作を停止させて（ステップＳ７０６）、ステップＳ７０７の処理を行なう。ステップＳ７０７において制御部５７は、撮影アクティブ信号を「撮影モード」とする。選択器６２は、現在撮影されているデジタル画像情報、デジタル音声情報及びそれらに対応する見出し情報を選択し、それらを無線通信部２１に供給する。無線通信部２１は、それらからなる伝送データを無線伝送する。
【０１２４】
次に、ステップＳ７０４において、良好な通信状態ではないと判別した場合について説明する。この場合、ステップＳ７０８において、制御部５７は、記録再生制御信号を出力し、記録再生部５６の記録動作を開始させ、ステップＳ７０３の制御に戻る。
【０１２５】
次に、ステップＳ７０３において、撮像要求がないと判別された場合について説明する。この場合、ステップＳ７０９において、制御部７は、ユーザからの操作入力が所定時間ないか否かを判別する。
【０１２６】
ユーザからの操作入力が所定時間なかった場合、ステップＳ７１０において、制御部５７は、無線通信部５８が出力する通信状態信号により、通信可能な状態にあるか否かを判別する。通信可能な状態にあると判別した場合、ステップＳ７１１において、制御部５７は、記録媒体６０に記録されているデータリストを記録装置２００に無線伝送する。ここで、伝送終了フラグが既にセットされている見出し情報については伝送されない。記録装置２００は、このデータリストを自機の管理するデータリストと比較する。内容の一致する見出し情報がある場合には、その見出し情報に再生スキップフラグ或いはデータ削除フラグをセットする。データリスト内の全ての見だし情報に対する処理が終了した後、記録装置２００は、このデータリストを撮像装置５００に返信する。
【０１２７】
撮像装置５００は、記録装置２００から返信されたデータリストに基づき、各見出し情報に対応する記録データを、順次無線伝送するか否か判別する。再生スキップフラグがセットされている見出し情報については、その見出し情報に対応する記録データの再生をスキップし、その見出し情報の領域８０６に伝送終了フラグをセットする（ステップＳ７１２、Ｓ７１３）。
【０１２８】
一方、データ削除フラグがセットされている見出し情報については、その見出し情報に対応する記録データ及び見出し情報を削除する（ステップＳ７１４、Ｓ７１５）。
【０１２９】
再生スキップフラグ、データ削除フラグの何れもセットされていない見出し情報については、ステップＳ７１６において、その見出し情報に対応する記録データを記録装置２００に無線伝送する。記録装置２００がその記録データを正常に記録したことを確認した場合、制御部５７は、見出し情報の領域８０６に伝送終了フラグをセットし（或いは、その記録データを削除し）、次の見出し情報に対して処理を行なう。又、記録装置２００がその記録データを正常に記録したことを確認できなかった場合、制御部５７は、その記録データを再度無線伝送する。
【０１３０】
制御部７は、データリストにある全ての見出し情報の領域８０６に伝送終了フラグがセットされるまで（或いは、全ての記録データが削除されるまで）、ステップＳ７１０以下の処理を繰り返す（ステップＳ７１７）。全ての記録データの伝送が終了した後、撮像装置５００は、データ終了信号を記録装置２００に伝送し、ステップＳ７０１の制御に戻る。
【０１３１】
次に、上記ステップＳ７１０において、撮像装置５００と記録装置２００との間が通信可能な状態にないと判別した場合の処理について説明する。この場合、ステップ７１８において、制御部５７は、現在無線伝送中の記録データがあるか否かを判別する。無線伝送中の記録データがない場合、制御部５７はステップＳ７１０の制御に戻る。一方、無線伝送中の記録データがある場合、ステップＳ７１９において、制御部５７は、その記録データの無線伝送を中止し、記録再生部５６の再生ポインタをその記録データの始めの位置まで戻す。
【０１３２】
尚、第２実施の形態の記録装置２００の動作手順を示すフローチャートの一例は、図４に示したフローチャートと同様であるためその説明を省略する。
【０１３３】
以上のように第２の実施の形態では、各撮像装置５００と記録装置２００とに対して自動伝送モードを設けることにより、これら撮像装置５００と記録装置２００との間の距離が正常な通信を行なえなえる範囲内にあり、且つ伝送路の通信状態が良好な場合において、撮像装置５００が撮像中のデジタル画像及び音声、或いは、撮像装置５００が過去に撮像したデジタル画像及び音声を、遠隔地の記録装置２００に対して自動的に無線伝送するシステムを提供することができる。
【０１３４】
更にこのシステムは、各装置が正常な通信を行なえる範囲内にない場合、或いは伝送路の通信状態が良好でない場合には、データ伝送を自動的に停止し、それらが回復した後、データ伝送を自動的に再開することができる。この場合、撮像中のデジタル画像が、撮像装置５００と記録装置２００の別々に記録されたとしても、見出し情報により自動的に関連付けて管理しておくことができる。
【０１３５】
このような構成により、ユーザに特に意識させることなく、また煩雑な作業を必要とすることなく、第１の実施の形態と同様に、撮像装置５００のデジタル画像及び音声を、遠隔地にある記録装置２００に自動的に伝送し、保管することができる。又、通信状態が良好でない場合には、データ伝送を自動的に停止するため、伝送エラーや欠落を最小限に押さえることができ、遠隔地の記録装置２００に確実に記録、保管することができる。
【０１３６】
又、第２の実施の形態では、第１の実施の形態と同様に、記録装置２００に既に記録されているデジタル画像情報及びデジタル音声情報の再生を自動的にスキップ或いは削除することもできる。このような構成により、同じデータを二重に再生、伝送する処理を防止することができ、データ伝送を効率的に行なうことができる。又、自動的に削除する場合には、撮像装置５００の記録媒体を効率的に使用することもできる。
【０１３７】
又、第２の実施の形態では、第１の実施の形態と同様に、撮像装置５００からデータ伝送されたデジタル画像情報を予め設定された所定のデータフォーマットに変換して記録することもできる。このような構成により、デジタル画像情報の保管や管理に伴う作業の負荷を軽減できると共に、記録後に行なう編集作業の負荷を軽減することもできる。
【０１３８】
更に、第２の実施の形態の記録装置２００は、撮像装置５００から自動的にデータ転送されたデジタル画像を必要に応じて過去に記録したデジタル画像とに関連付けて記録することもできる。これにより、記録媒体に記録したデジタル画像の保管や管理に伴う作業の負荷を軽減できると共に、記録後に行なう編集作業の負荷を軽減することもできる。
【０１３９】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【０１４０】
又、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記録媒体は本発明を構成する。かかるプログラムコードを記憶する記録媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【０１４１】
又、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることは言うまでもない。
【０１４２】
更に、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行ない、その処理によって上述した実施の形態の機能が実現される場合にも本発明に含まれることは言うまでもない。
【０１４３】
尚、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【符号の説明】
【０１４４】
１００、５００  撮像装置
１、５１  撮像部
２、５２  デジタル画像処理部
３、５３  マイクロフォン
４、５４  デジタル音声処理部
５、５５  見出し情報生成部
６、５６  記録再生部
７、５７  制御部
８、５８  無線通信部
９、５９  アンテナ
１０、６０  記録媒体
１１、６１  メモリ
１２、６３  検出回路
１３、６４  操作部
６２  選択器
２００  記録装置
２１  無線通信部
２２  記録情報検出部
２３  記録処理部
２４  制御部
２５  記録再生部
２６  見出し情報比較部
２７  記録媒体
２８  メモリ
２９  操作部
【図１】
2010172010.tif 000003
【図２】
2010172010.tif 000004
【図３】
2010172010.tif 000005
【図４】
2010172010.tif 000006
【図５】
2010172010.tif 000007
【図６】
2010172010.tif 000008
【図７】
2010172010.tif 000009
【図８】
2010172010.tif 000010